Podtech/llm-jp-corpus-v4-ja_patent huggingface dataset:
(57)【要約】      （修正有）【課題】歯科医で使用する歯形取り印象材を処理する印象材処理機を提供する。【解決手段】印象材処理機の本体１０に挿着して、歯科医で使用した印象材１Ａを噛み込ませて送り出す機構と、同送り出す機構で噛み込ませた歯科医で使用した印象材１Ａを、粗粉砕後、更に微粉砕する機構とを有してなる。歯形を取る印象材を使用した後原形のまま、処理業者に託するのではなく、小さく砕き、つまり顆粒状又は粉砕して廃棄しようとするもので、ところてん方式又はミンチ状にして処理する方法で、例えば、廃棄処理袋に１０袋必要とされていた物を１袋で処理しようとするもので、コストダウン、嵩張らない利点に繋がる。【選択図】図１
0003194249.tif 000002
【実用新案登録請求の範囲】
【請求項１】
印象材処理機の本体に挿着して、歯科医で使用した印象材を噛み込ませて送り出す機構と、同送り出す機構で噛み込ませた歯科医で使用した印象材を、粗粉砕後、更に微粉砕する機構とを有してなることを特徴とする印象材処理機。
【考案の詳細な説明】
【技術の分野】
【０００１】歯科医で使用する印象材、例えばアルジネート、シリコン、寒天、などで歯形をとった後、原形のまま医療廃棄するのではなく、小さく顆粒状、又は粉砕して、捨てることにより、縮小廃棄処理費もコストダウンする考案である。
【背景技術】
【０００２】  使用済み印象材は歯形の原形のまま、まとめて現在廃棄処理されている。
【考案の開示】
【考案が解決しようとする課題】
【０００３】現在歯科で使用する印象材、つまり歯形を取る為のアルジネートシリコン系は寒天などで歯形を取り終えた印象材は、医療廃棄物として処理しなければならない、その取り終えた歯形はそのままの状態（嵩張った印象材）で現在廃棄されており、１袋の単価が高額で廃棄物専門業者に引き取りされているのが現状である。
【問題が解決する為の手段】
【０００４】本考案は、印象材処理機の本体に挿着して、歯科医で使用した印象材を噛み込ませて送り出す機構と、送り出す機構で噛み込ませた歯科医で使用した印象材を、粗粉砕後、更に微粉砕する機構とを有してなる印象材処理機で、印象材アルジネート、シリコン、寒天などで作られた歯形を小さく、例えば、今まで廃棄処理袋に１０袋必要とされていたのを１袋で済むように工夫したものである。
【考案の効果】
【０００５】本考案は、シリコンなどの取り終えた歯形（嵩張った印象材）を小さく砕き処理する事により、大幅にコストダウンが出来るようになった。
【図面の簡単な説明】
【０００６】
【図１】印象材処理機の縦断面図である。
【図２】図１のＡ−Ａ線矢視の拡大断面図である。
【図３】図１のＢ−Ｂ線矢視の拡大断面図である。
【本考案を実施する形態】
【０００７】本考案に係る具体的実施例図１から図３を参照して以下説明する。
【実施例】
【０００８】図１に図示する如く、本実施例では、印象材処理機の本体１０に挿着した、送り出しローラー４により、歯科医で使用した粉砕前の印象材１を粗粉砕カッター５に送り噛み込ませて粗粉砕し、更に、粗粉砕した印象材を微粉砕カッター７に噛み込ませて微粉砕し、微粉砕した印象材１Ｃを粉砕処理収納部９で回収した印象材処理機である。具体的には、図１に示す粉砕前の印象材１Ａは、印象材アルジネートシリコン、寒天等で歯形を取り終えた後、印象材は廃棄処分をしなければならない義務がある。粉砕前の印象材１Ａは、印象材処理機の本体１０の投入口２より、送り出しローラー４によって下部へと落下して、粗粉砕カッター５によって、更に、粉砕前の印象材１Ａより細かく砕かれたあと、穴開きディスクに６によって、更に押し出され、微粉砕カッター７によって更に小さく顆粒もしくは微粉砕され、微粉砕穴開きディスク８へと押し出される。なお、粗粉砕カッター５は印象材処理機上部にある第１のモーター３Ａで、微粉砕カッター７は印象材処理機下部にある第２のモーター３Ｂにより回転する。微細化した微粉砕の印象材１Ｃは印象材処理機下部にある粉砕処理収納部（処理袋）９に充填して処理運搬業者に渡す。符号１１は、印象材処理機の本体１０を取り付固定する台を図示している。
【産業上の利用可能性】
【０００９】  本考案は歯科医の医療廃棄処理法として役立つものである。
【符号の説明】
【００１０】１Ａ      粉砕前の印象材
１Ｂ      粗粉砕の印象材
１Ｃ      微粉砕の印象材
２        投入口
３Ａ      第１のモーター
３Ｂ      第２のモーター
４        送り出しローラー（ローラーミル、チューブミル）
５        粗粉砕カッター
６        粗粉砕穴開きディスク
７        微粉砕カッター
８        微粉砕穴開きディスク
９        粉砕処理機収納部（処理袋）
１０      印象材処理機の本体
１１      印象材処理機据え付け台
１２      印象材の飛散防止カバー
【図１】
0003194249.tif 000003
【図２】
0003194249.tif 000004
【図３】
0003194249.tif 000005
(57)【要約】【課題】本考案は、ラケットケースの開閉部が従来のジッパー式では、途中で引っ掛かってしまったり、裏地がジッパーに噛んでしまったりとスムーズな開閉が出来なかった事を解消する。【解決手段】本考案は、ラケットケースの開閉部を特別な縫製仕様でマグネット式にする事によってラケットの出し入れをスムーズにし、煩わしさを解消する事に役立つ。【選択図】図５
0003194250.tif 000002
【実用新案登録請求の範囲】
【請求項１】
開閉部をマグネット式にし、ラケットの出し入れを容易にしたケース
【考案の詳細な説明】
【技術分野】
【０００１】本考案は、ラケットケースの開閉部をマグネット式にしたケースに関するものである。
【背景技術】
【０００２】従来、ラケットケースの開閉部は、ジッパー式であった。
【考案の概要】
【考案が解決しようとする課題】
【０００３】ラケットをケースから出し入れする際、従来のジッパー式の場合では、途中で引っ掛かってしまったり、裏地がジッパーに噛んでしまったり、スムーズに開閉出来ない事が多かった。
【課題を解決するための手段】
【０００４】本考案は、ラケットケースの開閉部を特別な縫製仕様でマグネット式にする事によってラケットの出し入れをスムーズにする。
【考案の効果】
【０００５】ラケットをケースから出し入れする際、考案されたマグネット式の開閉部により、安定的且つスムーズにラケットの出し入れが可能になり、煩わしさを解消する。
【図面の簡単な説明】
【０００６】
【図１】本考案のマグネット開閉式ラケットケースの全体図である。
【図２】本考案のマグネット開閉式ラケットケースのマグネット側の側面図である。
【図３】マグネット部分の構造図である。
【図４】マグネット開閉部を開いた状態の図である。
【図５】マグネット開閉部を開き、ラケットを収納した状態の図である。
【考案を実施するための形態】
【０００７】図１にある１は従来ファスナー式であったものをマグネット式にして、ラケットの出し入れを容易にする。
【実施例】
【０００８】図１の１がマグネット開閉部であり、構造は図３の２の様に短いマグネットが１列に並んでいる事により、段階的な開閉が可能になる。【０００９】図４の３がマグネット開閉部を完全に開いた状態で、図５の様にラケットを収納する際、ジッパー式の様に引っ掛かりが無く、ラケットの出し入れが容易になる。
【符号の説明】
【００１０】１  マグネット開閉部
２  マグネット内装構造
３  マグネット開閉部開口時
【図１】
0003194250.tif 000003
【図２】
0003194250.tif 000004
【図３】
0003194250.tif 000005
【図４】
0003194250.tif 000006
【図５】
0003194250.tif 000007
(57)【要約】      （修正有）【課題】片手で氷をばらばらにし、水筒状の筐体から、氷を取り出せるようにする構造を提供する。【解決手段】水筒状の筐体下部に、大きなばねを設けて、水筒状の筐体本体が損傷しないようにする。ばねを貼り付けて固定するためカバー状の付属品を水筒状の筐体にねじで止める。【選択図】図１
0003194222.tif 000002
【実用新案登録請求の範囲】
【請求項１】
水筒状の筐体又は水筒状の筐体の下に、ばねを固定する仕掛け・装置等を設け
ばねで衝撃を和らげ筐体が変形するのを防ぐ構造
【考案の詳細な説明】
【考案の概要】
【考案が解決しようとする課題】
【０００１】
氷をどうやって内容量を減らさずに手軽にばらばらにするかと言うことです。
【課題を解決するための手段】
【０００２】
水筒状の筐体の底をばねで衝撃のスピードを減速しながら叩きつけると良いことが分かりました。
【考案の効果】
【０００３】
この仕組みがない水筒は氷が詰まってしまい、氷が出ないのですが
この仕組みがあると氷を水筒から取り出せる。
【図面の簡単な説明】
【０００４】
【図１】この図は、発明の例です。
【考案を実施するための形態】
【０００５】
水筒状の(出来れば魔法瓶の)筐体の中に、氷を入れて持ち運ぶ
【実施例】
【０００６】
水筒状の筐体の中に氷を入れた状態で時間が経つと、氷同士で引っ付くので
片手で水筒の取っ手を持ち、もう片手の手の平にたたきつけると、衝撃で氷がばらばらになり
ばらばらになった氷を水筒状の筐体から取り出して食べる。
【産業上の利用可能性】
【０００７】
屋外で不快指数が高いとき、氷を口に含んで、熱中症の予防に利用できる。
【図１】
0003194222.tif 000003
(57)【要約】      （修正有）【課題】会葬者が故人への想い・遺族へのお悔やみの言葉を書き残す事が可能となるカード式芳名録を提供する。【解決手段】カード式芳名録の裏面にメッセージ欄を設けることによって、会葬者が故人への想い・遺族へのお悔やみの言葉を、書き残せるようにする。【選択図】図２
0003194206.tif 000002
【実用新案登録請求の範囲】
【請求項１】
空白だったカード式芳名録裏面に、会葬者が故人への想い・遺族へのお悔やみの言葉を書き込むためのメッセージ欄。
【考案の詳細な説明】
【技術分野】
【０００１】本考案は、会葬者が故人への想い、遺族へのお悔やみの言葉を書き込むため、カードの裏面にメッセージ欄を設けたものである。
【背景技術】
【０００２】従来の芳名録では会葬者が、故人への想い、遺族へのお悔やみの言葉を書き込む事が出来なかった。
【考案の概要】
【考案が解決しようとする課題】
【０００３】会葬者が遺族と充分に会話が出来ない慌ただしい葬儀の中で、従来の芳名録では、住所・氏名の項目は書けても、故人への想い、遺族へのお悔やみの言葉を書き込む事が出来ない難点があった。
本考案は、この課題を解決するためになされたものである。
【課題を解決するための手段】
【０００４】カード式の芳名録の利用されて無かった空白裏面に、会葬者が故人への想い、遺族に対してのお悔やみの言葉を書き込むメッセージ欄を設けた。
【考案の効果】
【０００５】慌ただしい葬儀の限られた時間内に会葬者は、故人への想い・遺族へのお悔やみの言葉を書き残す事が出来る。
このため葬儀後に遺族は落ち着いて読むことが出来、心が癒される。
【考案を実施するための形態】
【０００６】芳名録の裏面に、故人への想い・遺族へのお悔やみの言葉を書き込めるように四角で囲んだ枠内に、２段に分けたメッセージ欄を設ける。
【図面の簡単な説明】
【０００７】
【図１】本考案の表面である。
【図２】本考案の裏面である。
【図１】
0003194206.tif 000003
【図２】
0003194206.tif 000004
【手続補正書】
【提出日】平成26年8月25日(2014.8.25)
【手続補正１】
【補正対象書類名】実用新案登録請求の範囲
【補正対象項目名】全文
【補正方法】変更
【補正の内容】
【実用新案登録請求の範囲】
【請求項１】
空白だったカード式芳名録裏面に、会葬者が故人への想い・遺族へのお悔やみの言葉を書き込むためのメッセージ欄が設けられていることを特徴とするカード式芳名録。
(57)【要約】      （修正有）【課題】シンク用フットスイッチが故障した場合でも、水路を迂回し通水させる迂回路システムを提供する。【解決手段】フットスイッチ６に開閉する電磁弁３の上流に切換えコック２を設け、この切換えコック２に連結された電磁弁３を迂回する迂回路７を設ける事により、フットスイッチ６が故障・停電等により使用出来なくなった時に、蛇口への迂回路７パイプで容易に自分で水路を通すことができます。【選択図】図１
0003194207.tif 000002
【実用新案登録請求の範囲】
【請求項１】
フットスイッチにより開閉する電磁弁の上流に切換えコックを設け、この切換えコックに連結され電磁弁を迂回する迂回路を設ける事により、フットスイッチが故障・停電等により使用出来なくなった時に、切換えコックを迂回路側に切替え、蛇口レバーを開閉する事により給水又は給湯ができるようにした迂回路システム。
【請求項２】
前記迂回路は、Ｔ字型アングルにより、一端が電磁弁の下流側に連結されている請求項１に記載の迂回路システム。
【考案の詳細な説明】
【技術分野】
【０００１】本考案は、フットスイッチが故障した場合でも、コックを切替え水路を迂回し通水させるシステムである。
【背景技術】
【０００２】今迄は、給水・給湯のフットスイッチや電磁弁が故障すれば蛇口から水・湯が出なくなり専門業者に修理を依頼し費用や時間がかかるものでした。
【考案の概要】
【考案が解決しようとする課題】
【０００３】
0003194207.tif 000003
本考案は、コックの切替えをすれば自分で簡単に解決できます。
【課題を解決するための手段】
【０００４】シンク用フットスイッチ及び電磁弁が故障した場合コックの切替え（自分）で迂回路を通り水路を替えられるので通水する。
【考案の効果】
【０００５】シンク用フットスイッチ及び電磁弁が故障した場合専門業者でなく、コックの切替えだけで簡単に蛇口から出水し時間や費用がかからない。
【図面の簡単な説明】
【０００６】
【図１】フットスイッチ故障時の迂回システム
【考案を実施するための形態】
【０００７】
0003194207.tif 000004
▲６▼フットスイッチを踏む事で水・湯が蛇口から出ます。
当然▲３▼電磁弁で動くのですから蛇口のレバーは出水方向に上げて置きます。
但し、▲３▼電磁弁は機械なので故障が発生する事があります。
故障した時に▲３▼電磁弁だけを使用していると水・湯は止まります。
0003194207.tif 000005
止水する事なく蛇口より水・湯が出ます。
この▲７▼迂回路パイプと▲２▼切替えコックが考案したものです。
水の通りは▲２▼切替えコックで▲８▼迂回用Ｔ型パイプで水を通す方法である。
湯を通す場合は、もう一組必要になります
上記の方法があれば専門業者を呼ぶ手間が省けます。
切替えコックや迂回パイプを取付ける事で解決します。
迂回システムを使用した場合水栓金具のレバーハンドル又はニギリ玉で開閉する事で解決します。
フットスイッチの場合、水栓金具を開けていますが迂回システムを使った場合レバーハンドル又はニギリ玉を閉めなければ水が出っぱなしとなるのでレバーハンドル又はニギリ玉を手動で開閉します。
【符号の説明】
【０００８】▲１▼  給水パイプ
▲２▼  水切替えコック
▲３▼  電磁弁
▲４▼  電源
▲５▼  信号線
▲６▼  フットスイッチ
▲７▼  迂回用給水パイプ（両ネジ付）
▲８▼  Ｔ型アングル分岐栓
【図１】
0003194207.tif 000006
(57)【要約】      （修正有）【課題】机等の上に置いた場合に書類などに挟まって見つけにくいという状態を防ぎ、また、柄の先端を下にして自動的に立つことで使用時に手で掴みやすい団扇を提供する。【解決手段】柄２の一端に扇部１と、反対側に丸みを帯びた柄の先端４とを有し、柄と柄の先端との間に重し３を内蔵したことを特徴とする。【選択図】図１
0003194201.tif 000002
【実用新案登録請求の範囲】
【請求項１】
扇部（１）と柄（２）と重し（３）と柄の先端（４）で構成される、柄の先端（４）を下にして自動的に立つことができる団扇。
【考案の詳細な説明】
【技術分野】
【０００１】  この考案は、扇部（１）と柄（２）と重し（３）と柄の先端（４）で構成される、柄の先端（４）を下にして自動的に立つことができる団扇である。
【背景技術】
【０００２】  従来、柄の先端を下にして自動的に立つことができる団扇は無かった。
【先行技術文献】
【特許文献】
【考案の概要】
【考案が解決しようとする課題】
【０００３】  団扇は一般に、全体が平たい。そのため、例えば机の上などに置いておくと団扇の上に雑誌や書類などが重なってしまっていた場合に見つけにくい。また、一般に団扇は全体が平たいため、床面に置かれた状態の場合は少々拾い上げにくい。
本案は、これらを解決しようとするものである。
【課題を解決するための手段】
【０００４】  本案は、扇部（１）と柄（２）と重し（３）と柄の先端（４）で構成される。扇部（１）とは反対側である柄の先端（４）側に重し（３）を内臓し、柄の先端（４）が丸みを帯びた形状であることにより、柄の先端（４）を下にして自動的に立つことができる団扇となる。本案は以上の構成よりなる、自動的に立つ機能を有する柄をもつ団扇である。
【考案の効果】
【０００５】  本案の団扇は、柄の先端（４）を下にして自動的に立つことができる。
これにより、机の上などに置いた場合に本案の団扇は柄の先端（４）を下にして自動的に立つため、雑誌や書類などに挟まれて探しづらいという状況になりにくい。また、本案の団扇は柄の先端（４）を下にして自動的に立つことができるため、柄の先端（４）を下にして立った状態においては柄（２）が掴み易い状態となり、使用時に手に取りやすい。
【図面の簡単な説明】
【０００６】
【図１】本案の形態を示した断面図である。
【図２】本案の形態を示した正面図である。
【考案を実施するための形態】
【０００７】  以下、本案を実施する形態について説明する。
本案は、扇部（１）と柄（２）と重し（３）と柄の先端（４）で構成される、柄の先端（４）を下にして自動的に立つことができる団扇である。柄の先端（４）については丸みを帯びた形状にし、重し（３）を内臓する。
これにより本案は、柄の先端（４）を下にして自動的に立つことができる団扇となる。
【符号の説明】
【０００８】    １  扇部
２  柄
３  重し
４  柄の先端
【図１】
0003194201.tif 000003
【図２】
0003194201.tif 000004
【手続補正書】
【提出日】平成26年6月23日(2014.6.23)
【手続補正１】
【補正対象書類名】明細書
【補正対象項目名】０００４
【補正方法】変更
【補正の内容】
【０００４】  本案は、扇部（１）と柄（２）と重し（３）と柄の先端（４）で構成される。扇部（１）とは反対側である柄の先端（４）側に重し（３）を内蔵し、柄の先端（４）が丸みを帯びた形状であることにより、柄の先端（４）を下にして自動的に立つことができる団扇となる。本案は以上の構成よりなる、自動的に立つ機能を有する柄をもつ団扇である。
【手続補正２】
【補正対象書類名】明細書
【補正対象項目名】０００７
【補正方法】変更
【補正の内容】
【０００７】  以下、本案を実施する形態について説明する。
本案は、扇部（１）と柄（２）と重し（３）と柄の先端（４）で構成される、柄の先端（４）を下にして自動的に立つことができる団扇である。柄の先端（４）については丸みを帯びた形状にし、重し（３）を内蔵する。
これにより本案は、柄の先端（４）を下にして自動的に立つことができる団扇となる。
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
柄（２）の一端に扇部（１）と、反対側に丸みを帯びた柄の先端（４）とを有し、前記柄（２）と前記柄の先端（４）との間に重し（３）を内蔵したことを特徴とする、団扇。
(57)【要約】      （修正有）【課題】机等の上に置いた場合に書類などに挟まって見つけにくいという状態を防ぎ、また、柄の先端を下にして自動的に立つことで使用時に手で掴みやすい団扇を作るための団扇骨を提供する。【解決手段】扇部と柄２と重し３と柄の先端４で構成される。前記柄２の他端に丸味を帯びた形状を有する柄の先端４が設けられた団扇骨において、前記柄２と前記柄の先端４の間に重し３が内蔵されている。柄の先端４を下にして自動的に立つことができる団扇骨であることを特徴とする。【選択図】図１
0003194205.tif 000002
【実用新案登録請求の範囲】
【請求項１】
扇部（１）と柄（２）と重し（３）と柄の先端（４）で構成される、柄の先端（４）を下にして自動的に立つことができる団扇骨。
【考案の詳細な説明】
【技術分野】
【０００１】  この考案は、扇部（１）と柄（２）と重し（３）と柄の先端（４）で構成される、柄の先端（４）を下にして自動的に立つことができる団扇骨である。
【背景技術】
【０００２】  従来、柄の先端を下にして自動的に立つことができる団扇骨は無かった。
【先行技術文献】
【特許文献】
【考案の概要】
【考案が解決しようとする課題】
【０００３】  団扇は一般に、全体が平たい。そのため、例えば机の上などに置いておくと団扇の上に雑誌や書類などが重なってしまっていた場合に見つけにくい。また、一般に団扇は全体が平たいため、床面に置かれた状態の場合は少々拾い上げにくい。
本案は、これらを解決しようとするものである。
【課題を解決するための手段】
【０００４】  本案は扇部（１）と柄（２）と重し（３）と柄の先端（４）で構成される。扇部（１）とは反対側である柄の先端（４）側に重し（３）を内蔵し、柄の先端（４）が丸みを帯びた形状であることにより、柄の先端（４）を下にして自動的に立つことができる団扇骨となる。本案は以上の構成よりなる、自動的に立つ機能を有する柄をもつ団扇骨である。
【考案の効果】
【０００５】  本案の団扇骨は、柄の先端（４）を下にして自動的に立つことができる。これにより本案の団扇骨を用いてつくる団扇は、柄の先端（４）を下にして自動的に立つため、雑誌や書類などに挟まれて探しづらいという状況になりにくい。また、本案の団扇骨を用いてつくる団扇は、柄の先端（４）を下にして自動的に立つことができる為、柄の先端（４）を下にして立った状態においては柄（２）が掴み易い状態となり、使用時に手に取りやすい。
【図面の簡単な説明】
【０００６】
【図１】本案の形態を示した部分断面図である。
【図２】本案の形態を示した正面図である。
【考案を実施するための形態】
【０００７】  以下、本案を実施する形態について説明する。
本案は、扇部（１）と柄（２）と重し（３）と柄の先端（４）で構成される、柄の先端（４）を下にして自動的に立つことができる団扇骨である。柄の先端（４）については丸みを帯びた形状にし、重し（３）を内蔵する。
これにより本案は、柄の先端（４）を下にして自動的に立つことができる団扇骨となる。
【符号の説明】
【０００８】１  扇部
２  柄
３  重し
４  柄の先端
【図１】
0003194205.tif 000003
【図２】
0003194205.tif 000004
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
柄（２）の一端に扇部（１）が設けられ、前記柄（２）の他端に丸みを帯びた形状を有する柄の先端（４）が設けられた団扇骨において、前記柄（２）と前記柄の先端（４）の間に重し（３）が内蔵されている、団扇骨。
(57)【要約】      （修正有）【課題】押し当てる部分の位置を極めて微妙に調整でき、背中や腰のツボ部分を確実に指圧することができる指圧具を提供する。【解決手段】プレート２に略長円形状の孔３を複数開設し、頭部５を半円球形状とすると共に脚部に周溝を設けたブロック体４を、孔３内に周溝部分で組み付けてスライド自在に嵌合した構成で、プレート２をカバー体８で被覆する。ブロック体を孔内でスライド移動させて極めて微妙に位置の調整ができる。孔はプレートに複数開設されているので、患部の夫々のケースに対応することも可能である。【選択図】図１
0003194259.tif 000002
【実用新案登録請求の範囲】
【請求項１】
プレート（２）に略長円形状の孔（３）を複数開設し、頭部（５）を半円球形状とすると共に脚部（６）に周溝（７）を設けたブロック体（４）を、前記孔（３）内に前記周溝（７）部分で組み付けてスライド自在に嵌合したことを特徴とする指圧具。
【請求項２】
プレート（２）をカバー体（８）で被覆することを特徴とする請求項１に記載の指圧具。
【考案の詳細な説明】
【技術分野】
【０００１】
本考案は、背中や腰の所謂ツボ部分に当てて指圧することにより、血行を良くして凝りを解消させようとする指圧具に関する。
【背景技術】
【０００２】
特にデスクワークでは、例えばＰＣに集中するために目を凝らしてキーボードを叩く作業をしていると、肩や背中、腰等に凝りが生じて肉体的に疲労を感じるばかりでなく、ひいては内臓にも悪影響をもたらす深刻な問題が生じる。
【０００３】
そこでこの対策の一つとして、多数の突起を設けたプレート或いはクッションを背中や腰に当てて体重をかけて押圧し、突起によって凝りの患部を刺激して血行を促進させることが行われる。しかしながら、ここでの多数の突起は固定配置であり、凝りの患部の位置は人によって様々であるので、デスクワークで椅子の背当て部分などにプレートなりクッションなりを配置して突起を患部に当てようとすると、体をひねったりずらしたりしなければならなくなり、落ち着いてデスク作業ができなかったり、そもそも広い範囲にわたって複数の患部に押し当てることができないなどの不満が残るものであった。
【先行技術文献】
【特許文献】
【０００４】
【特許文献１】特開２０１３−２４４３８７公報
【考案の概要】
【考案が解決しようとする課題】
【０００５】
この発明は、ベース部材に開設された多数の孔の所望のいずれかに突起部材を嵌め込み、患部に押し当てようとするものであり、突起部材の位置を選択調整することができるものとしている。しかしながらこの構成でも、多数の孔の開設位置は固定的であるので微妙な位置調整をすることはできない。
【０００６】
よって本考案は、上述した従来技術の欠点、不都合、不満を解消するべく開発された指圧具であって、患部に押し当てる部分を極めて微妙な位置に調整ができるようにすることを目的とする。
【課題を解決するための手段】
【０００７】
上記課題を解決するため本考案の指圧具は、プレートに略長円形状の孔を複数開設し、頭部を半円球形状とすると共に脚部に周溝を設けたブロック体を、前記した孔内に前記した周溝部分で組み付けてスライド自在に嵌合したことを特徴とし、プレートをカバー体で被覆することを特徴とする。
【考案の効果】
【０００８】
上記した本考案にあって、ブロック体は略長円形状の孔内を自在にスライド移動させることができるので、ブロック体の位置の極めて微妙な調整を達成することができ、しかも略長円形状の孔はプレートに複数開設されているので、患部の夫々のケースに対応することが可能である。
【０００９】
ブロック体は頭部を半円球形状としているので、凝った患部に押し当てるとピンスポット的に適宜の刺激を与えることができ、また孔との組み付きは脚部に設けた周溝を介して行うので、スライド移動させる際に摩擦抵抗が生じ、微妙な位置調整がより確実に得られる。
【００１０】
また、プレートをカバー体で被覆することにより外観体裁を良くし、カバー体に紐等を付ければ、椅子に好みの状態で装着することができる等、本考案は多くの優れた作用効果を奏する。
【図面の簡単な説明】
【００１１】
【図１】指圧具の一例を示す正面図である。
【図２】図１のＡ−Ａ線拡大断面図である。
【図３】ブロック体の拡大図で、（ａ）は斜視図、（ｂ）は正面図である。
【考案を実施するための形態】
【００１２】
本考案の指圧具１は、比較的硬質の合成樹脂製のプレート２に略長円形状の孔３を複数開設し、この孔３内に硬質の合成樹脂製のブロック体４を組み付けてスライド自在に嵌合した構成である。
【００１３】
ブロック体４は、その頭部５を半円球形状として、体の凝り部分、ツボ部分等にピンスポット的に適宜の刺激を与えることができ、またブロック体４の脚部６に周溝７を設け、孔３内にこの周溝７部分で組み付けることにより、みだりな脱落を防止し、ある程度の摩擦抵抗を受けてスライド自在に移動させることができる。
【００１４】
また、プレート２を被覆するカバー体８は布製であって、体に当てた際のソフト感を与えることができ、ブロック体４の頭部５は膨らんだ形態で現出するので確実に体の凝り部分等を刺激することができ、ブロック体４のスライド移動もカバー体８の外部から操作することができる。
【実施例】
【００１５】
プレート２の孔３は横長長円形状で例えば左右に一対ずつ、例えば上下に三段に開設してあり、中央段の孔３は、上下段の孔３に比べて長く、ブロック体４の左右の移動幅を大きくとれるようになっている。孔３の短径方向の開口幅は、ブロック体４の周溝７部分の直径幅とほぼ等しいが、部分的にそれよりも狭い幅部分も設けており、ブロック体４の移動が摩擦抵抗を受けて指圧時にみだりに位置ずれしないようにしてある。プレート２の孔３は縦長長円形状であってもよく、或いは、図１の姿勢で９０度回転させての使用態様であってもよい。
【００１６】
ブロック体４は、略弾丸形状となった頭部５を半円球形状とし、その下端に鍔形状の脚部６を一体設したもので、頭部５の両側はほぼ垂直な切欠き面９とし、スライド移動の際の指当て面を形成する。
【符号の説明】
【００１７】
１  指圧具
２  プレート
３  孔
４  ブロック体
５  頭部
６  脚部
７  周溝
８  カバー体
９  切欠き面
【図１】
0003194259.tif 000003
【図２】
0003194259.tif 000004
【図３】
0003194259.tif 000005
(57)【要約】      （修正有）【課題】撮影に際して、容易にまた簡単に露出の決定をできるようにするために、シャッタースピードダイヤルと絞りメモリーダイヤルを配置装備したカメラを提供する。【解決手段】シャッタースピードダイヤルと絞りメモリーダイヤルを、カメラボディー上面に並べて配置装備する。１カメラボディー上面に２シャッタースピードダイヤルを配置装備、つづいて３定線を引き、４絞りメモリーダイヤルを配置装備する。【選択図】図１
0003194254.tif 000002
【実用新案登録請求の範囲】
【請求項１】
カメラボディーの上面にシャッタースピードダイヤルと絞りメモリーダイヤルを並べて配置装備したことを特徴とするカメラ。
【考案の詳細な説明】
【技術分野】
【０００１】
本考案は、撮影に際して、シャッター速度と絞り値をより素速くまた簡単に設定すると
同時に、ひと目でその両方を確認できるように配置装備するもので、それらの操作部分を司るシャッタースピードダイヤルとシボリメモリーダイヤルに関するものである。
【背景技術】
【０００２】
従来のカメラでは、シャッタースピードダイヤルはカメラボディー上面に設置したものもあるが、シボリメモリーダイヤルをカメラボディー上面に設置したものはなく、レンズ側にある設定リングにより絞り値を設定するものが普通である（特許文献１）。最近ではカメラボディー側による設定も可能したものもあるが、それら両方を、直接ひと目で確認できるように配置装備されたものはない。
【先行技術文献】
【特許文献】
【０００３】
【特許文献１】特開２００５−２９５０５６号公報
【考案の概要】
【考案が解決しようとする課題】
【０００４】
従来は撮影に際して、露出を決めるシャッターと絞りの操作に、一体感に欠ける感が多少ある。撮影に際して如何に容易にまた簡単に露出の決定をできるようにするか、その為の動作部分である、シャッタースピードダイヤルと絞りメモリーダイヤルをどのように配置装備するのが一番良いのか、この問題を解決しようとするものである。
【課題を解決するための手段】
【０００５】
本考案はシャッタースピードダイヤルと絞りメモリーダイヤルを、カメラボディー上面に並べて配置装備することにより問題は解決する。
図１について説明すれば、１カメラボディー上面に２シャッタースピードダイヤルを配置装備、つづいて３定線を引き、４絞りメモリーダイヤルを配置装備することで問題は解決する。
【考案の効果】
【０００６】
一目瞭然でひと目で直接その設定値を確認できる為、撮影に際してシャッタースピードダイヤルと絞りメモリーダイヤルの設定の為の動作はより容易であると同時に簡単である。
シャタースピードダイヤルをＡ即ちオートに設定したとき、絞りメモリーダイヤルをＡにセットして撮影る場合はP即ちプログラムオートで作動するように設定されておればその便利さはより増します。また  Aを外せば即座に絞り優先オートにも、シャッター優先オートにもなり、両方をAから外せばマニュアルモードであり、それぞれの値に設定される。
いずれの場合もその設定値をひと目で直接確認できるので、操作は至って簡単に行える。
【図面の簡単な説明】
【０００７】
【図１】本考案の効果を導く為の実施例の作業図面である。
【考案を実施するための最良の形態】
【０００８】
全てのカメラにおいてこの方式を採用することが望ましい。何故なら、この方式はカメラの露出についての基本的な考え方を具現化したものであるからである。
【実施例】
【０００９】
全く新しい発想による考案であるから未だ実施はされていない。従って前記の記述に基づいて実施される。
【符号の説明】
【００１０】
１  カメラボディー上面
２  シャッタースピードダイヤル
３  定線
４  絞りメモリーダイヤル
【図１】
0003194254.tif 000003
(57)【要約】      （修正有）【課題】雨期でもトラクタでの圃場作業を可能とした四履帯トラクタを提供する。【解決手段】車輪トラクタの車輪を外し、前履帯部１９と後履帯部２０をそれぞれの基各車輪装着部に各履帯駆動輪ハブに装着し四履帯トラクタにする。この四履帯トラクタは接地圧が低く土壌水分が高い雨期に、畑地での作業精度を落とさない作業が出来る。【選択図】図１
0003194253.tif 000002
【実用新案登録請求の範囲】
【請求項１】
車輪トラクタのすべての車輪を外し左右の前履帯部（１９）と左右の後履帯部（２０）をそれぞれ装着し走行踏圧の低い四履帯トラクタ。
【請求項２】
請求項１に記載する、車輪トラクタのすべての車輪を外し左右の前履帯部（１９）と左右の後履帯部（２０）をそれぞれ装着する四履帯トラクタの４基の履帯部分。
【考案の詳細な説明】
【技術分野】
【０００１】  本考案の目的は日本国のように降雨の多い地方で稼働できるトラクタにする。【０００２】  畜産業で草地利用による経営では、雨期になると乾燥飼料のみ与えている。本来草食動物は生草が主食であるはず。
【背景技術】
【０００３】  雨期になると土壌水分が高くなり車輪型は草地に入れない。土壌水分が高いと土壌はぬかるみ状態になる。そこに車輪トラクタで走行するとぬかるみに車輪を取られ全く作業が出来ない。その上土壌構造は破壊されて不良土壌になる。更に栽培中の草が飼料として使えない上に、その後の２番刈３番刈も草の生育は悪化し収穫量が減少するので車輪トラクタによる作業は不可能である。
【先行技術文献】
【０００４】  土壌水分の高い時の圃場には、車輪トラクタの導入できないことは常識である。
【非特許文献】
【０００５】  鹿児島県茶業試験場研究報告第１号  発行者鹿児島県茶業試験場  ４６頁〜７７頁の中に調査期間は１９７４〜１９７７年、場内茶園における本茶摘採作業を延１５１４ａ内雨天時に延７３６ａ行ったとある。現状でも全国的に土壌水分が高い雨期でも茶摘採を履帯摘採機で収穫作業は無論、雨がやむと防除、施肥作業を履帯作業機で行っている。作業には軽量な履帯タイプであれば何も問題は生じていない
【考案の概要】
【考案が解決しようとする課題】
【０００６】  軽量な履帯タイプであれば、雨期でも作業が可能にする。【０００７】  四輪駆動トラクタ保有の経営者負担を少なくして、この雨期の課題を解決しようとする。
【課題を解決するための手段】
【０００８】  農家や農場が保有している四輪駆動車輪トラクタを四履帯トラクタに改造する。【０００９】  四履帯トラクタの履帯の接地面積を広くし接地圧を極度に低くする。接地圧を極度に低くすることで立毛中の作物の損傷を大幅に軽減できる。【００１０】  このように改造すれば、雨期でもトラクタでの圃場作業が可能となる。
【考案の効果】
【００１１】  雨期でも生草の刈り取りが出来るようになる。その分乾草を貯蔵しなくても良くなる。【００１２】  生草を与えることで草食家畜の飼料代の削減することができる。また、その家畜の生育が良好となるなど、相乗的な効果が得られる。
【図面の簡単な説明】
【００１３】
【図１】トラクタに前履帯と後履帯を装着した左側面図
【図２】トラクタに前履帯と後履帯を装着した正面図
【図３】前履帯右側の左側面図
【図４】図１における前履帯のトラクタへの装着法と前履帯駆動輪伝導機構Ａ−Ａ断面図面
【図５】後履帯右側の左側面図
【考案を実施するための形態】
【００１４】  以下、本考案の実施形態を説明する。
【００１５】  車輪トラクタは降雨直後や雨期等高土壌水分時には圃場に導入できない。これを解決するためにすべての車輪を取り外し車輪に変えて本考案の前履帯部１９後履帯部２０をそれぞれ装着するものである。
よって、走行踏圧の低い履帯トラクタとして圃場に導入し農作業ができる特徴を持つトラクタとなる。
【００１６】  ただし、本考案に実施できるトラクタは、四輪駆動に出来るトラクタのみである。
【００１７】  また再度、履帯を車輪に交換すると車輪トラクタとして従来通り使用できることで大変経済的である。
【実施例】
【００１８】以下、添付図面に基づいて説明する。【００１９】  履帯型は車輪型に比べ高速で走行できない短所があることから、前履帯駆動輪２後履帯駆動輪６共に車輪直径の２分の１以下と小さくする。【００２０】  立毛中の作物を管理することを前提に、最低地上高を基の車輪型と同じ地上高とした。【００２１】  前履帯３の駆動は、基前輪タイヤハブを自在軸継手原軸側１４に自在軸板継手ボルト１５を前履帯駆動輪２と一体になっている自在軸板継手従軸側１３に連結している。よって前履帯駆動輪２により前履帯３が駆動される。
前履帯部１９の装着はトラクタ前輪軸ギヤケース２１にトラクタ装着ボルト穴１１にて前履帯フレーム４を装着する。前履帯トラックローラフレーム５は前履帯フレーム４と一体構造であることからトラクタに装着される。【００２２】  後履帯７の駆動は、基後輪タイヤハブ部に後履帯駆動輪６を付ける。これに後履帯トラックローラフレーム１０にベルト状に張り後履帯７は駆動する。
後履帯部２０の装着は後履帯トラックローラフレーム１０のほぼ中央に後履帯駆動輪保持アーム９を直角に付けて後履帯駆動輪軸６と軸受を介して固定する。更に、後履帯トラックローラフレーム１０に後履帯シャーシ８を付ける。この後履帯シャーシ８で左右の後履帯トラックローラフレーム１０を連結して連結中央をトラクタ本体１に固定する。【００２３】  基車輪軸が回転することで前履帯と後履帯が動き走行でき、基車輪時と同様に前進後退旋回が自由にできる。
【符号の説明】
【００２４】１    トラクタ本体
２    前履帯駆動輪
３    前履帯
４    前履帯フレーム
５    前履帯トラックローラフレーム
６    後履帯駆動輪
７    後履帯
８    後履帯シャーシ
９    後履帯駆動輪保持アーム
１０  後履帯トラックローラフレーム
１１  トラクタ装着ボルト穴
１２  自在軸板継手ボルト穴
１３  自在軸板継手従軸側（前履帯駆動輪２と一体）
１４  自在軸板継手原軸側
１５  自在軸板継手ボルト
１６  前履帯駆動輪軸
１７  軸受
１８  後履帯駆動輪ハブ
１９  前履帯部
２０  後履帯部
２１  トラクタ前輪軸ギヤケース
【図１】
0003194253.tif 000003
【図２】
0003194253.tif 000004
【図３】
0003194253.tif 000005
【図４】
0003194253.tif 000006
【図５】
0003194253.tif 000007
(57)【要約】      （修正有）【課題】製造に専用の設備と材料・複雑な工程を必要とせずに、静電容量式タッチパネルの操作ができるようになるニット製手袋・軍手を提供する。【解決手段】印刷・滑り止め加工用の着色済みＰＶＣゾルに添加剤としてトリフルオロメタンスルホン酸リチウムを加え、絶縁体の印刷用ＰＶＣに導電性を持たせ、指先を含む手のひらの面に印刷加工することにより、既存のニット製手袋で静電容量式タッチパネルの操作を可能にする。【選択図】図１
0003194216.tif 000002
【実用新案登録請求の範囲】
【請求項１】
印刷用PVCに導電性を付与し、服飾の名入れ・印刷面に静電容量式タッチパネルの操作性を持たせる。
【考案の詳細な説明】
【考案の概要】
【考案が解決しようとする課題】
【０００１】
静電容量式のタッチパネルを搭載した電子機器を使用する際、従来は手袋を装着した状態では操作ができなかった。
指先に導電素材で加工したタッチパネル操作ができる手袋も商品化されてはいるが、あくまでも専用品であり製造には専用の設備と材料・複雑な工程が必要であり既存のニット製手袋に簡易に加工できる素材が求められている。
【課題を解決するための手段】
【０００２】
印刷用の着色済みPVCゾルに添加剤としてトリフルオロメタンスルホン酸リチウムを加えることによって従来は絶縁体であった印刷用PVCに導電性を持たせ、既存のニット製手袋での静電容量式タッチパネルの操作を可能にする。
【考案の効果】
【０００３】
従来用いられていた印刷・滑り止め加工用のPVC素材では不可能であった手袋・軍手を装着したままでの静電容量式タッチパネルの操作が可能になる。
【図面の簡単な説明】
【０００４】
【図１】導電性PVC図を参照
【実施例】
【０００５】
既製品の軍手にこの素材をスクリーン印刷等で滑り止めとして加工する。加工した軍手指先は網目を通して人体と接触し、もって静電容量式タッチパネルの操作を可能とする。
【産業上の利用可能性】
【０００６】
ニット製手袋の指先等に任意の意匠で加工しつつタッチパネル操作を可能にする。
その際に新規の設備や特殊な工程を必要とせず、既存の設備において従来の工法を用いて製造することができる。
またこの印刷用PVCを用いれば手袋に限らず繊維素材の服飾のデザイン面にタッチパネルの操作性を付与することが可能になる。
【図１】
0003194216.tif 000003
【手続補正書】
【提出日】平成26年9月5日(2014.9.5)
【手続補正１】
【補正対象書類名】実用新案登録請求の範囲
【補正対象項目名】全文
【補正方法】変更
【補正の内容】
【実用新案登録請求の範囲】
【請求項１】
導電性の樹脂で指先を含む手のひらの面に印刷加工することによって静電容量式タッチパネルを操作できるように加工された事を特徴とするニット手袋・軍手
(57)【要約】      （修正有）【課題】ワンプッシュで二種類のジェルの混合ジェルを作る事が出来るスプレー缶を提供する。【解決手段】出口ノズルにスクリュー１を内蔵し、ノズルの先端にメッシュカバー２を取り付ける。二種類のジェルが交互に螺旋状に成り、出口で混合ジェルに変わる。【選択図】図２
0003194215.tif 000002
【実用新案登録請求の範囲】
【請求項１】
「特徴」
１．出口ノズルのスクリュー構造
【請求項２】
「特徴」
１．メッシュカバーによる混合ジェルの完成
【考案の詳細な説明】
【技術分野】
【０００１】スクリューノズル構造とメッシュカバーの合体型。
【背景技術】
【０００２】二つの構造による混合ジェルの目的達成。
【考案の開示】
【考案が解決しようとする課題】
【０００３】二種類のジェルをワンプッシュで混合ジェルにする事が出来なかった。
【問題を解決する為の手段】
【０００４】出口ノズルに羽を付け、出口ノズル先端にメッシュカバーを取り付ける事で混合ジェルをワンプッシュで作る事を解決した。
【考案の効果】
【０００５】二種類のジェルが交互に螺旋状に成り、出口で混合ジェルに換わる。
【図面の簡単な説明】
【０００６】
【図１】混合ジェルの出来る構造を示した立体平面図。
【図２】出口ノズルのスクリュー（羽）の内臓位置を示し、メッシュカバーを取り付けた断面図。
【符号の説明】
【０００７】「各部分を数字で示す」
（１）出口ノズルのスクリュー（羽）部分
（２）メッシュカバー取り付け部分
（３）混合ジェル
【図１】
0003194215.tif 000003
【図２】
0003194215.tif 000004
【手続補正書】
【提出日】平成26年8月25日(2014.8.25)
【手続補正１】
【補正対象書類名】実用新案登録請求の範囲
【補正対象項目名】全文
【補正方法】変更
【補正の内容】
【実用新案登録請求の範囲】
【請求項１】
出口ノズルにスクリューを有し、出口ノズル先端にメッシュカバーを有する、二種類のジェルを出口ノズルで混合可能なスプレー缶。
【手続補正２】
【補正対象書類名】明細書
【補正対象項目名】全文
【補正方法】変更
【補正の内容】
【考案の詳細な説明】
【技術分野】
【０００１】スクリューノズル構造とメッシュカバーの合体型。
【背景技術】
【０００２】二つの構造による混合ジェルの目的達成。
【考案の開示】
【考案が解決しようとする課題】
【０００３】二種類のジェルをワンプッシュで混合ジェルにする事が出来なかった。
【問題を解決する為の手段】
【０００４】出口ノズルに羽を付け、出口ノズル先端にメッシュカバーを取り付ける事で混合ジェルをワンプッシュで作る事を解決した。
【考案の効果】
【０００５】二種類のジェルが交互に螺旋状に成り、出口で混合ジェルに変わる。
【図面の簡単な説明】
【０００６】
【図１】混合ジェルの出来る構造を示した立体平面図。
【図２】出口ノズルのスクリュー（羽）の内臓位置を示し、メッシュカバーを取り付けた断面図。
【符号の説明】
【０００７】（１）出口ノズルのスクリュー（羽）部分
（２）メッシュカバー取り付け部分
（３）混合ジェル
(57)【要約】      （修正有）【課題】適切な安全指示ができる、二輪車や多輪車の方向指示付グリップを提供する。【解決手段】自転車の持ち手に取り付けたグリップ３と、指示アーム２と指示アーム押え４からなり、指示アーム２の外周には、複数のＬＥＤライト１を備え、指示アーム２を、指示アーム押え４で押さえて、グリップ３に対して回転可能に取り付けることにより、自転車が倒れた時に、指示アーム２にあたったときに、回転する事により、指示アーム２のＬＥＤライト１が壊れないようにしたことを特徴とする方向指示付グリップ。【選択図】図１
0003194211.tif 000002
【実用新案登録請求の範囲】
【請求項１】
自転車の持ち手に取り付けたグリップ３と、指示アーム２と指示アーム押え４からなり、指示アーム２の外周には、複数のＬＥＤライト１を備え、指示アーム２を、指示アーム押え４で押さえて、グリップ３に対して回転可能に取り付けることにより、自転車が倒れた時に、指示アーム２にあたったときに、回転する事により、指示アーム２のＬＥＤライト１が壊れないようにしたことを特徴とする方向指示付グリップ。
【請求項２】
回指示アーム２１に凸部２２、グリップ３の本体３１に円弧状の凹部３２を設け、指示アーム押え４で押さえて、それらが嵌合することにより、凹凸が噛み合う範囲で、指示アーム２が、指示アーム２１がグルップに対して回転するようにしたことを特徴とする請求項１記載の方向指示付グリップ。
【考案の詳細な説明】
【技術分野】
【０００１】本考案は、二輪車や多輪車の走行に於ける方向指示器に関する。
【背景技術】
【０００２】自転車で走行中、右左折したり停車する時、現在では無言のまま予告もなく突然手信号で合図するしかなく、片手運転となり危険で夜間には見ずらく事故の原因となり安全とは言えない。ますます交通事情が悪化する中、適切な安全指示手段が行わていないのが現状である。
【先行技術文献】
【特許文献】
【０００３】
【特許文献１】実用新案登録第３１８６２１１号公報
【考案の概要】
【考案が解決しようとする課題】
【０００４】アーチ型グリップがあるがグリップが外側に固定しているため車幅が広くなり、駐輪に場所をとって隣接の自転車と接触して止めにくく、且つ、転倒時にアームが壊れ易い欠点がある。
【課題を解決するための手段】
【０００５】自転車の持ち手に取り付けたグリップ３と、指示アーム２と指示アーム押え４からなり、指示アーム２の外周には、複数のＬＥＤライト１を備え、指示アーム２を、指示アーム押え４で押さえて、グリップ３に対して回転可能に取り付けることにより、自転車が倒れた時に、指示アーム２にあたったときに、回転する事により、指示アーム２のＬＥＤライト１が壊れないようにしたことを特徴とする方向指示付グリップ。【０００６】回指示アーム２１に凸部２２、グリップ３の本体３１に円弧状の凹部３２を設け、それらが嵌合することにより、凹凸が噛み合う範囲で、指示アーム２が、指示アーム２１がグルップに対して回転するようにしたことを特徴とする方向指示付グリップ。
【考案の効果】
【０００７】指示アームが回転するので、車幅が狭くでき、転倒時に指示アームにとりつけたＬＥＤライトが壊れにくい。
【図面の簡単な説明】
【０００８】
【図１】本考案の方向指示付グリップの外観図
【図２】本考案の方向指示付グリップの断面図
【図３】本考案の指示アームの回転機構図  （ａ）指示アーム  （ｂ）グリップ
【図４】本考案の指示アームの位置図  （ａ）走行時の指示アームの位置  （ｂ）停止時の指示アームの位置
【考案を実施するための形態】
【０００９】図１は、本考案の方向指示付グリップの外観図である。
方向指示付グリップ９は、グリップ３と、指示アーム２と指示アーム押え４からなる。
指示アーム２を、指示アーム押え４で押さえて、グリップ３を回転可能に取り付ける。
指示アーム２には、外周には、複数のＬＥＤライト１を備える。
グリップ３は、自転車ハンドル８に嵌入し、その中に、音声発声基板とスピーカー５、電池１０を内蔵する。
【００１０】指示アーム２は、グリップ３に対して回転可能に取り付けることにより、自転車が倒れたときに、指示アーム２が回転する事により指示アーム２及びＬＥＤライト１が壊れないようにしている。
【００１１】図２は、本考案の方向指示付グリップの断面図である。
自転車のハンドル８において、指示アーム２がグリップ３に対して回転する機構を示す。グリップには、電池１０、音声発声基盤、及びスピーカー５を内蔵する。
【００１２】図３は、本考案の指示アームの回転機構図で、（ａ）は指示アーム、（ｂ）はグリップを示す。指示アーム２を、指示アーム押え４で押さえて、グリップ３に対して回転可能に取り付ける。回指示アーム２１に凸部２２、グリップ３の本体３１に円弧状の凹部３２を設けており、指示アーム押え４で押さえて、それらが嵌合される。指示アームはグリップに対して、凹凸が噛み合う範囲で回転する。
【００１３】図４は、本考案の指示アームの位置図である、（ａ）は、走行時の指示アームの位置で、自転車のハンドルに方向指示付グリップを取り付け、歩行者が見易いように外側に回転した状態である。（ｂ）は、停止時の指示アームの位置を示す。自転転車が停止した時、車幅を狭くして駐輪をし易くし、転倒時に破損を防ぐため内側に回転させている。自転車が倒れると、指示アームにあたり、（ｂ）のように回転するので、指示アーム２の外周につけたＬＥＤライト１が壊れにくくなる。
【符号の説明】
【００１４】１  ＬＥＤライト
２  指示アーム
２１  本体
２２  凸部
３  グリップ
３１  本体
３２  凹部
４  指示アーム押え
５  音声発声基盤とスピーカー
６  キャップ
７  スイッチ
８  自転車ハンドル
９  方向指示付グリップ
１０  電池
【図１】
0003194211.tif 000003
【図２】
0003194211.tif 000004
【図３】
0003194211.tif 000005
【図４】
0003194211.tif 000006
【手続補正書】
【提出日】平成26年8月27日(2014.8.27)
【手続補正１】
【補正対象書類名】実用新案登録請求の範囲
【補正対象項目名】全文
【補正方法】変更
【補正の内容】
【実用新案登録請求の範囲】
【請求項１】
自転車の持ち手に取り付けたグリップ（３）と、指示アーム（２）と指示アーム押え（４）からなり、指示アーム（２）の外周には、複数のＬＥＤライト（１）を備え、指示アーム（２）を、指示アーム押え（４）で押さえて、グリップ（３）に対して回転可能に取り付けることにより、自転車が倒れた時に、指示アーム（２）にあたったときに、回転する事により、指示アーム（２）のＬＥＤライト（１）が壊れないようにしたことを特徴とする方向指示付グリップ。
【請求項２】
指示アーム（２）に凸部（２２）、グリップ（３）の本体（３１）に円弧状の凹部（３２）を設け、指示アーム押え（４）で押さえて、それらが嵌合することにより、凹凸が噛み合う範囲で、指示アーム（２）がグリップに対して回転するようにしたことを特徴とする請求項１記載の方向指示付グリップ。